(57)【特許請求の範囲】
【請求項１】
食材を収納する棚を具備した冷蔵庫であって、前記棚は希土類錯体等の発光材料が含有されたプラスチック材料の２枚の発光板からなり、紫外線または青系発光の半導体素子で構成した発光手段を前記発光板で挟んだ構成とし、前記棚の先頭に別の希土類錯体の発光材料を含有したプラスチック材料の発光カバーを設けて前記発光カバーの発光材料の含有構成を工夫することにより、模様、文字等を浮き出すことができ、前記冷蔵庫への搭載時に前記冷蔵庫内を照明する冷蔵庫。
【請求項２】
前記棚の発光板の複数箇所に光は散乱する突起部を設けた請求項１に記載の冷蔵庫。
【請求項３】
前記棚に、温度帯により発光量が変化する希土類錯体の発光材料を設けた請求項１または２に記載の冷蔵庫。
【発明の詳細な説明】
【技術分野】
【０００１】
本発明は、使用者の目的や生活シーンに合わせて機能の追加が容易に行える物品貯蔵装置に関するものである。
【背景技術】
【０００２】
食料品を保存する物品貯蔵装置としては、家庭用冷蔵庫（以下、冷蔵庫と称す）が一般的である。この冷蔵庫は、近年、冷凍冷蔵による食品保存機能に加えて、脱臭機能や自動製氷装置や解凍機能などの付加機能を搭載したものが数多く普及している。
【０００３】
以下、図面を参照しながら上記特許文献１に記載される従来の技術について説明する。
【０００４】
図７は一般的な冷蔵庫の構成図で、庫内を点灯するのに、１００Ｖ電源で駆動できる、白熱電球を使用していた。
【０００５】
図７において、１０１は冷蔵庫であり、右側には冷蔵室１０２があり、ドア（図示せず）で外部との熱遮断を行っている。前記冷蔵室１０２内には、庫内を点灯するための白熱電球１０３が、奥の背面に取り付けられている。前記白熱電球１０３は、前記ドアの開閉により、点灯、非点灯を行う動作をする。
【特許文献１】特開昭５９−１０７１８１号公報
【発明の開示】
【発明が解決しようとする課題】
【０００６】
しかしながら、上記特許文献１に示すように、冷蔵庫庫内への食材、加工食品等を入れた場合、白熱電球が側面あるいは背面奥にあるため、光が十分に食材等に当たらず、食材の影で隠れて暗い状態で、食材、加工食品を探さなくてはいけなくなる。また、白熱電球自体、電気が熱に変わるため、食材を保冷する冷蔵庫としては、食材の品質を損なうという課題を有していた。
【課題を解決するための手段】
【０００７】
上記従来の課題を解決するために、本発明の冷蔵庫は、冷蔵庫の冷蔵室内の棚に半導体で構成した紫外線、または青系の発光手段を設け、その発光手段を発光材料である希土類錯体を含有したプラッチック材料で挟む構成を設けたものである。
【０００８】
かかる構成により、少々の紫外線、または青系の発光量で、希土類錯体を含有したプラスチック材料を黄、赤、青、白等に発光させ、冷蔵室をドア手前から奥までをムラなく点灯することができる。
【発明の効果】
【０００９】
本発明の冷蔵庫は、少々の紫外線、または青系の発光量で、希土類錯体を含有したプラスチック材料を黄、赤、青、白等に発光させ、冷蔵室をドア手前から奥までをムラなく点灯することができる。
【００１０】
そのため、従来より、発光にかかわる電力量が少なくて済み（１／１０程度）、発光色もいろいろ選べるためデザイン性がよく、環境にも優しい照明を提供することができる。
【発明を実施するための最良の形態】
【００１１】
請求項１に記載の発明は、食材を収納する棚を具備した冷蔵庫であって、前記棚は希土類錯体等の発光材料が含有されたプラスチック材料の２枚の発光板からなり、紫外線または青系発光の半導体素子で構成した発光手段を前記発光板で挟んだ構成とし、前記棚の先頭に別の希土類錯体の発光材料を含有したプラスチック材料の発光カバーを設けて前記発光カバーの発光材料の含有構成を工夫することにより、模様、文字等を浮き出すことができ、前記冷蔵庫への搭載時に前記冷蔵庫内を照明するものである。
【００１２】
かかる構成により、冷蔵庫の冷蔵室が、前面から奥まで、ムラなく照らすことができる。
【００１４】
かかる構成により、発光手段に半導体を使用しているため、消費電力が少ない。
【００１６】
かかる構成により、少々の紫外線、または青系の発光量で、希土類錯体を含有したプラスチック材料の発光板を黄、赤、青、白等に発光できる。
【００１８】
かかる構成により、少々の紫外線、または青系の発光量で、希土類錯体を含有したプラスチック材料の発光板を黄、赤、青、白等に発光させ、冷蔵室をドア手前から奥までをムラなく点灯することができる。
【００２０】
かかる構成により棚の正面のみ、別の発光色を使用できる。
【００２１】
請求項２に記載の発明は、請求項１に記載の発明において、前記棚の発光板の複数箇所に光は散乱する突起部を設けたものである。
【００２２】
かかる構成により、突起物で発光手段からの発光量が、上下方向に屈折し、棚前面への発光量が増やすことができる。
【００２３】
請求項３に記載の発明は、請求項１または２に記載の発明において、前記棚に、温度帯により発光度が変化する希土類錯体の発光材料を設けたものである。
【００２４】
かかる構成により、冷蔵庫の冷蔵室が、初めて使用する時に、所定の温度になっているかを、発光色で表現したり、故障により冷蔵室の温度が上昇した場合でも、発光色の変化で異常表示することができる。
【００２５】
以下、本発明の実施の形態について、図面を参照しながら説明する。なお、この実施の形態によってこの発明が限定されるものではない。
【００２６】
（実施の形態１）
本発明の物品貯蔵装置の実施の形態として、食料品を貯蔵する冷蔵庫を用いて説明する。
【００２７】
図１は、本発明の実施の形態１における冷蔵庫の構成図である。図２は、同実施の形態１における棚の構成図である。図３は図２の棚を側面から見た場合の断面図、図４は図３の棚の前面部に別の発光材料を取り付けた場合の断面図。図５は、棚板の内側の複数箇所に光を散乱する突起部を設けた場合の断面図、図６（ａ）は、同実施の形態１における温度により照度が変化する特性図であり、図６（ｂ）は、同実施の形態１における高温時と低温時の棚板の温度依存度が高い発光材料を使用した場合の断面図である。
【００２８】
図１に示す冷蔵庫１は、上部には冷蔵室２があり、ドア３で外部との熱遮断を行っている。冷蔵室２内には、庫内を点灯するための発光板５が、食材等を載せる棚４として取り付けられている。発光板５は、ドア３の開閉により、点灯、非点灯を行う動作をする。他の構成については、周知の構成でよいため、説明を省略する。
【００２９】
図２、図３に示す棚４は、発光材料である希土類錯体を含有したプラスチック材料で構成された発光板５と、同じ大きさで構成された発光板６と、複数の半導体発光素子８（紫外線、青系の発光素子）を搭載した発光手段７を発光板５と発光板６とで挟み込でいる。
【００３０】
半導体発光素子８が非点灯時には、発光板５，６も発光せず、透明な状態となる。
【００３１】
半導体発光素子８が点灯時には、発光板５，６も発光し、あらかじめ含有している発光材料の希土類錯体により発色する。
【００３２】
図４に示す棚４は、図３に示す棚の前面部に、発光板５，６とは異なる発光材料である希土類錯体を含有したプラスチック材料で構成した発光カバー９を設けた。
【００３３】
発光手段７の半導体発光素子８の発光により、発光板５，６と異なる発光色で、発光カバー９は発光することになる。また発光カバーの発光材料の含有構成を工夫することにより、模様、文字等を浮き出すことができる。
【００３４】
図５に示す棚４は、図３の発光板５，６の内側に光を散乱する突起部１０を複数設けることにより、前面に直進する光を、矢印のように発光板５，６に反射させる。
【００３５】
この突起部１０を設けることにより、発光板５，６側への光量を増やすことができ、発光板５，６がより強く発光する工夫となる。
【００３６】
図６示す棚４は、発光量と冷蔵室庫内温度の関係が示すように、高温時には発光量が減少し、低温時には、発光量が増加する希土類錯体の特性を、図３の棚４の構成とした。
【００３７】
図６に示す棚４は、全く冷えていない冷蔵庫では、ドア３を開けた場合、棚４の発光板５，６の発光量は減少し、暗い照明となる。
【００３８】
また、ある程度、運転することによって、冷蔵室の庫内温度が減少した場合、棚４の発光板５，６の発光量が増加し、明るい照明となる。
【００３９】
この特性により、食材を入れる適温を照明の明暗により、使用者は判別できる。
【００４０】
また冷蔵庫１が故障により温度が上昇した場合でも、同様の現象により、照明の明暗により、異常状態を使用者は判断することが可能となる。
【００４１】
以上のように本実施の形態においては、食材を収納する棚を具備した物品貯蔵装置であって、前記棚は発光手段を具備しており、前記物品貯蔵装置内への搭載時に前記物品貯蔵装置内を点灯、非点灯する動作を可能としたものであり、冷蔵庫の冷蔵室が、前面から奥まで、ムラなく照らすことができる。
【００４２】
棚に、半導体素子で構成された発光手段を設けたことにより、発光手段に半導体を使用しているため、消費電力を最小限に抑えることができる。
【００４３】
棚に、希土類錯体等の発光材料が含有されたプラスチック材料の発光板で構成されたことにより、少々の紫外線、または青系の発光量で、希土類錯体を含有したプラスチック材料の発光板を黄、赤、青、白等に発光できる。
【００４４】
棚に、複数の板で前記発光手段を挟んだ構成により、少々の紫外線、または青系の発光量で、希土類錯体を含有したプラスチック材料の発光板を黄、赤、青、白等に発光させ、冷蔵室をドア手前から奥までをムラなく点灯することができる。
【００４５】
棚に、複数毎の発光板で前記発光手段を挟んだ構成で、その先頭に別の希土類錯体の発光材料を含有したプラスチック材料の発光板を設けたことにより棚の正面のみ、別の発光色を使用できる。
【００４６】
棚に、複数毎の板で前記発光手段を挟んだ構成とし、発光板の複数箇所に光は散乱する突起部を設けたことにより、突起物で発光手段からの発光量が、上下方向に屈折し、棚前面への発光量が増やすことができる。
【００４７】
棚に、複数毎の板で前記発光手段を挟んだ構成とし、温度帯により発光度が変化する希土類錯体の発光材料を設けたことにより、冷蔵庫の冷蔵室が、初めて使用する時に、所定の温度になっているかを、発光色で確認できたり、故障により冷蔵室の温度が上昇した場合には、発光色の変化で異常表示することができる。
【産業上の利用可能性】
【００４８】
以上のように、本発明にかかる発光手段を具備した物品貯蔵装置は、物品貯蔵庫・冷蔵庫・乾燥庫・収納庫・ショーケース等として提供することができる。
【図面の簡単な説明】
【００４９】
【図１】本発明の実施の形態１における冷蔵庫の片扉開放状態を示す正面図
【図２】同実施の形態１における棚の斜視図
【図３】同実施の形態１における棚の断面図
【図４】同実施の形態１における発光カバーつき棚の断面図
【図５】同実施の形態１における発光板に突起部を設けた棚の断面図
【図６】（ａ）同実施の形態１における温度により照度が変化する特性図（ｂ）同実施の形態１における高温時と低温時の棚板の温度依存度が高い発光材料を使用した場合の断面図
【図７】従来の冷蔵庫の正面断面図
【符号の説明】
【００５０】
４    棚
５    発光板
６    発光板
７    発光手段
８    半導体発光素子
９    発光カバー
１０  突起部
【図１】
0005163054.tif 000002
【図２】
0005163054.tif 000003
【図３】
0005163054.tif 000004
【図４】
0005163054.tif 000005
【図５】
0005163054.tif 000006
【図６】
0005163054.tif 000007
【図７】
0005163054.tif 000008